(57)【要約】  本発明は、家具本体（２）、家具本体（２）に対して変位可能な第１の引出しおよび少なくとも１つの第２の引出し（３、４）、両引出し（３、４）の閉位置において第２の引出し（４）の前面パネル（４’）または前面壁をほぼ完全に覆う第１の引出し（３）の前面パネル（３’）を有する家具（１）であって、第１の引出しおよび少なくとも１つの第２の引出し（３、４）が閉位置から開位置に引出し（３、４）を移動させる開放装置（９、９’）を備え、両開放装置（９、９’）を第１の切換位置で結合し、第２の切換位置で分離する切換部品（１３）が両開放装置（９、９’）間に設けられることを特徴とする家具に関する。  【選択図】  図３ｄ
2009500134.tif 000002
【特許請求の範囲】
【請求項１】
家具骨組（２）と、家具骨組（２）に対して変位可能な第１の引出しおよび少なくとも１つの第２の引出し（３、４）とを備える家具（１）であって、２つの引出し（３、４）の閉位置において、第１の引出し（３）の前面パネル（３’）は第２の引出し（４）の前面パネル（４’）または前面壁を略完全に覆い、第１の引出しおよび少なくとも１つの第２の引出し（３、４）は引出し（３、４）を閉位置から開位置に移動させる突き出し装置（９、９’）を有し、２つの突き出し装置（９、９’）を第１の切換位置で結合し、第２の切換位置で分離する切換部品（１３）が２つの突き出し装置（９、９’）間に配置されることを特徴とする家具。
【請求項２】
少なくとも１つの突き出し装置（９、９’）が、引出し（３）の突き出しのために突き出し部品（９ａ）に作用する、あるいは作用することのできる駆動装置、好ましくは少なくとも１つのバネ、または少なくとも１つの電動モータを備えることを特徴とする、請求項１に記載の家具。
【請求項３】
第１の引出し（３）および少なくとも１つの第２の引出し（４）が、閉位置から開位置に引出し（３、４）を移動させる別個の突き出し装置（９、９’）を備えることを特徴とする、請求項１または請求項２に記載の家具。
【請求項４】
第２の引出し（４）の突き出し装置(９’）が第１の引出し（３）の突き出し装置（９）によってトリガされうるように、第１の引出しおよび少なくとも１つの第２の引出し（３、４）の突き出し装置（９、９’）が結合されることを特徴とする、請求項３に記載の家具。
【請求項５】
少なくとも第１の引出し（３）は第１の引出し（３）の閉位置に対応する第１の限界位置を有し、第１の引出し（３）は圧力の印加によって、限界位置から家具骨組（２）内をさらに通り第２の限界位置まで閉方向に移動可能であることを特徴とする、請求項１〜４のいずれかに記載の家具。
【請求項６】
突き出し装置（９）が、第２の限界位置から開位置に引出し（３）を移動させるように構成されることを特徴とする、請求項５に記載の家具。
【請求項７】
少なくとも第１の引出し（３）は引出し（３）の閉位置に対応する限界位置を有し、第１の引出し（３）が引張力を印加することによって限界位置から、突き出し装置（９）が非活動である開位置まで移動可能であることを特徴とする、請求項１〜６のいずれかに記載の家具。
【請求項８】
家具（１）が、引出し（３、４、５）を選択的に移動させる制御装置および／または調整装置（１４）を備えることを特徴とする、請求項１〜７のいずれかに記載の家具。
【請求項９】
突き出し装置（９）が、引張力または押圧力を引出し（３、４、５）に印加することによって作動可能な少なくとも１つの電気スイッチを備え、その信号を制御装置および／または調整装置（１４）に送ることのできることを特徴とする、請求項８に記載の家具。
【請求項１０】
制御装置および／または調整装置（１４）が、圧力が好ましくは１度第１の引出し（３）に印加されるときに少なくとも第２の引出し（４）の突き出し装置（９’）を作動しないように設計されることを特徴とする、請求項８または請求項９に記載の家具。
【請求項１１】
制御装置および／または調整装置（１４）が、予め決定された、または予め決定可能な期間内に圧力が好ましくは第１の引出し（３）に続いて２度印加されるときに少なくとも第２の引出し（４）の突き出し装置（９’）を作動するように設計されることを特徴とする、請求項８〜１０のいずれかに記載の家具。
【請求項１２】
制御装置および／または調整装置（１４）が、引張力が第１の引出し（３）に印加されるときに突き出し装置（９、９’、９”）を作動しないように設計されることを特徴とする、請求項８〜１１のいずれかに記載の家具。
【請求項１３】
家具（１）が２つの引出し（３、４）を一時的に結合するための解除可能な結合装置（１１）を有することを特徴とする、請求項１〜１２のいずれかに記載の家具。
【請求項１４】
解除可能な結合装置（１１）は２つ以上の、好ましくは事前選択可能な動作モードを有することを特徴とする、請求項１３に記載の家具。
【請求項１５】
少なくとも第２の引出し（４）が解除可能な結合装置（１１）によって、少なくとも完全な閉位置から開位置まで移動可能であることを特徴とする、請求項１３または請求項１４に記載の家具。
【請求項１６】
解除可能な結合装置（１１）が、引出し（３、４）が好ましくは共通の開位置で分離されるように配置または設計されることを特徴とする、請求項１３〜１５のいずれかに記載の家具。
【請求項１７】
解除可能な結合装置（１１）が好ましくは、第１の引出し（３）の前面パネル（３’）の後側と少なくとも第２の引出し（４）の前面パネル（４’）の前側または前面壁の間で動作可能であることを特徴とする、請求項１３〜１６のいずれかに記載の家具。
【請求項１８】
解除可能な結合装置（１１）が機械的係止結合を有することを特徴とする、請求項１３〜１７のいずれかに記載の家具。
【請求項１９】
機械的係止結合が好ましくは、結合部品（１０ａ、１１ａ）と結合可能なフック状の引込み部品（１０ｂ、１１ｂ）であることを特徴とする、請求項１８に記載の家具。
【請求項２０】
引込み部品（１０ｂ、１１ｂ）が好ましくは、前面パネル（４’）の前側または第２の引出し（４）の前面壁に配置され、結合部品（１０ａ、１１ａ）が好ましくは、第１の引出し（３）の前面パネル（３’）の後側に配置されることを特徴とする、請求項１９に記載の家具。
【請求項２１】
引込み部品（１０ｂ、１１ｂ）および／または結合部品（１０ａ、１１ａ）が少なくとも２つの動作位置を有し、第１の動作位置において、２つの引出し（３、４）が一緒に移動されるときに引込み部品（１０ｂ、１１ｂ）が結合部品（１０ａ、１１ａ）を自動的に係止し、第２の動作位置において、引込み部品（１０ｂ、１１ｂ）と結合部品（１０ａ、１１ａ）間の係止が生じないことを特徴とする、請求項１９または請求項２０に記載の家具。
【請求項２２】
引込み部品（１０ｂ、１１ｂ）および／または結合部品（１０ａ、１１ａ）が、少なくとも２つの動作位置を好ましくは手動操作によって操作可能とする調節装置を備えることを特徴とする、請求項２１に記載の家具。
【請求項２３】
少なくとも１つの好ましくはバネ荷重式のバネ緩衝器（１２）および／または好ましくは吸振材料を備える少なくとも１つのスペーサ部が、第１の引出し（３）の前面パネル（３’）と第２の引出し（４）の前面パネル（４’）または前面壁との間に配置されることを特徴とする、請求項１〜２２のいずれかに記載の家具。
【請求項２４】
引出し（３、４、５）のうちの少なくとも１つが、引出し（３、４、５）を閉限界位置まで移動可能とする後退装置を備え、好ましくは完全な閉位置への最後の閉移動が制振状態で行われることを特徴とする、請求項１〜２３のいずれかに記載の家具。
【発明の詳細な説明】
【技術分野】
【０００１】
本発明は、家具骨組と、家具骨組に対して変位可能な第１のおよび少なくとも１つの第２の引出しとを備え、２つの引出しの閉位置では、第１の引出しの前面パネルが、第２の引出しの前面パネルまたは前面壁をほぼ覆う家具に関する。
【背景技術】
【０００２】
その種の家具のアイテムで、特に内側延長部と称されるものを説明する。内側延長部の前面パネルまたは前面壁は、前側延長部のより大きくまたは上方に延長された前面パネルの後ろに配置される。したがって、内側延長部がキャビネット状の家具にはめ込まれると、内側延長部にアクセスして開放することができるように、前側延長部を常に最初に開けなければならない。美観上または空間上の理由から、それらの内側延長部は取っ手や握りを備えていないので、操作オプションが限定される。また、内側延長部が横断部材の真下、中間パネル部、または追加の内側延長部の下に配置される場合、内側延長部を開けることができる楽で便利な方法はない。さらに、内側延長部に、閉位置において、内側延長部を閉じたままで保持する保持力を加える閉鎖機構が設けられる場合、バネ力に対抗する開運動が一層困難になるので、操作は非現実的である。
【発明の開示】
【発明が解決しようとする課題】
【０００３】
したがって、本発明の目的は、高い操作性をユーザに提供する、本明細書の導入部に記載される一般的な種類の家具を提供することである。
【課題を解決するための手段】
【０００４】
本発明によると、達成される好適な構成では、第１の引出しおよび少なくとも１つの第２の引出しは、閉位置から開位置へと引出しを移動させる突き出し装置を有し、２つの突き出し装置間には、２つの突き出し装置を第１の切換位置で結合し、第２の切換位置で分離する切換部品が配置される。
【０００５】
突き出し装置がたとえば第２の引出し（内側延長部）に作用する場合、ユーザがそのために内側延長部の後ろを握る必要なく、簡便に第２の引出しを開位置に移動させることができる。突き出し装置が第１の引出し（前側延長部）に作用する場合、第１の引出しは好ましくは機械的結合手段によって、選択的に内側延長部に結合させる、あるいは結合させなくすることができる。
【０００６】
引出しの突き出し移動を促すため、少なくとも１つの突き出し装置は、引出しが飛び出すように突き出し部品に作用する駆動装置、好ましくは、少なくとも１つのバネまたは少なくとも１つの電動モータを備えるように構成することができる。その場合、引出しが突然飛び出て開くのを避けるため、突き出し装置と引出しまたはガイドレール間の相対移動が、制振装置によって制動されることが望ましい。
【０００７】
本発明の実施形態では、第１の引出しおよび少なくとも１つの第２の引出しは、拡張移動を互いに無関係に制御できるように、引出しを閉位置から開位置に移動させる別個の突き出し装置を有する。それに関連して、好適な構成では、第１の引出しおよび少なくとも１つの第２の引出しの突き出し装置は、第２の引出しの突き出し装置が第１の引出しの突き出し装置によってトリガされうるように連結される。その場合、少なくとも２つの突き出し装置は、非常に広い範囲のトリガおよび切換の組み合わせに対応するように、電気的または機械的に結合される。それに関連して、２つの突き出し装置を第１の切換位置で結合し、第２の切換位置で分離する切換部品が２つの突き出し装置間に配置されるような構成とすることができる。その場合、切換部品は機械的スイッチであってもよい。あるいは、さらに別の実施形態によると、ブール代数によるデジタル信号と相互通信するために論理回路の形状であってもよい。
【０００８】
本発明のさらに別の実施形態では、少なくとも第１の引出しは、第１の引出しの閉位置に対応する第１の限界位置を有し、第１の引出しは家具骨組内をさらに通って第２の限界位置への閉方向に圧力を印加することによって、限界位置から移動可能である。その場合、引出しを第２の限界位置から開位置に移動させるように突き出し装置を構成することができる。その種の備品は、引出しによって操作されるタッチラッチ部品として既知であり、引出しは適切に所定距離押されて、それから力保持装置（バネ装置、流体ダンパ、電動モータ）によって開位置へと移動させられる。
【０００９】
もしくは、または補足的考慮として、引出しの閉位置に対応する限界位置を有し、第１の引出しが引張力の印加によって限界位置から突き出し装置が非活動の開位置まで移動可能であることも有益であるかもしれない。第１の引出し（前側延長部）が引張パルスによって操作される場合、内側延長部の突き出し装置は切換パルスを受け取らないため、好ましくは前側延長部のみが延長される。その状況では、内側延長部は選択的に閉位置にとどまる、あるいは、手動で前面パネルに圧力または引張力を印加することにより選択的に作動させることができる。
【００１０】
本発明のさらに別の実施形態によると、家具が引出しを選択的に移動させる制御装置および／または調整装置を有するように構成することができる。その場合、たとえば、引出しの作動および／または移動の選択的操作やタイミングは、個々に、あるいはすべての可能の組み合わせで制御することができる。これに関連し、突き出し装置が、引出しへの引張力または押圧力の印加によって作動可能な少なくとも１つの電気スイッチを備え、その信号を制御装置および／または調整装置に送ることができるのが望ましい。それに関連して、電気スイッチはマイクロスイッチの形状でもよく、切換パルスは、個々の突き出し装置のプログラムされた操作のためにアドレスデコーダに送られる。たとえば、制御装置および／または調整装置は、圧力が好ましくは１度第１の引出し（前側延長部）に印加されたときに少なくとも第２の引出し（内側延長部）の突き出し装置を作動しないように構成することができる。すなわち、圧力が１度前側延長部の前面パネルに印加される場合、内側延長部は延長されず、前側延長部のみが開位置に移動する。さらに別の実施形態では、制御装置および／または調整装置は、圧力が予め決定された、あるいは予め決定可能な期間内に好ましくは第１の引出し（前側延長部）に続いて２度印加されたときに、少なくとも第２の引出し（内側延長部）の突き出し装置を作動するように設計される。すなわち、前側延長部の「ダブルクリック」の場合、前側延長部と内側延長部の両方が開位置まで移動させられる。有益な改良では、制御装置および／または調整装置は、引張力が第１の引出しに印加されるときに突き出し装置を作動しないように設計することもできる。それに関連して、本目的を扱う当業者にとっては、非常に広範囲の切換オプションが可能であることに言及しておくべきである。
【００１１】
本発明の好適な改良によると、家具が２つの引出しを一時的に結合する解除可能な結合装置を備えるように構成することができる。引出しのための少なくとも１つの突き出し装置と組み合わせて、その解除可能な結合装置を追加で設けることで、可能な組み合わせが追加される。それに関連して、少なくとも第２の引出しが、解除可能な結合装置によって少なくとも完全な閉位置から開位置まで移動可能であることが好都合である。また、これに関連して、解除可能な結合装置が２つ以上の、好ましくは事前選択可能な動作モードを備えていることが望ましい。解除可能な結合装置を調節できれば、たとえば、第１の引出し（前側延長部）を開けることができ、その場合、２つの動作モードによると、少なくとも第２の引出し（内側延長部）が前側延長部の移動を実行するか否かを選択的に確定することができる。それに関連して、引出しを好ましくは共通の開位置に分離し、各引出しを個々に操作できるように、解除可能な結合装置を構成または設計することが好都合である。
【００１２】
解除可能な結合装置に関しては、当業者にとって周知の方法で、多くの様々な構成を実装することができる。実施形態では、解除可能な結合装置は好ましくは、第１の引出しの前面パネルの後側と前面パネルの前側または少なくとも第２の引出しの前面壁との間で動作可能であるように構成することができる。最も単純なケースでは、解除可能な結合装置が機械的係止接続（たとえば、少なくとも１つのバネ荷重式係止部品）を有することが望ましいかもしれない。
【００１３】
別の実施形態では、少なくとも１つの、好ましくはバネ荷重式のバネ緩衝器および／または好ましくは吸振材料を有する少なくとも１つのスペーサ部が、第１の引出しの前面パネルと第２の引出しの前面パネルまたは前面壁間に配置されるように構成することができる。すなわち、この構成では、第２の引出しの前面パネルまたは前面壁に対して第１の引出しの前面パネルが激しく衝突するのを有効に防止して、衝突ノイズが生じた場合でも大幅に低減できる。
【００１４】
最後に、本発明の実施形態では、引出しのうちの少なくとも１つが引出しを閉限界位置まで移動可能にする後退装置を有し、好ましくは完全な閉位置までの閉移動が制振状態で行われるように構成することができる。それに関連して、家具の各引出しには、閉限界位置へ引出しを確実に移動するその種の後退装置が装備される。通常、その種の後退装置には、大きすぎる運動量で家具の骨組を後退させないように、最後の閉範囲で引出しの運動を抑制する制振装置が設けられる。それに関連して、流体ダンパ、たとえば、直線または回転ダンパは有益に、制振装置として使用することができる。
【発明を実施するための最良の形態】
【００１５】
本発明のさらなる詳細および利点を、図面を参照しつつ具体的な記載によって以下より詳細に説明する。
【００１６】
図１は、本発明に係る家具１の実施形態の透視図で、キャビネット状の家具１は、上方に延長される前面パネル３’を有する第１の引出し３（前側延長部）が変位可能である骨組２を有する。骨組２内には、第２および第３の引出し４および５（内側延長部）、前面壁４’および５’も配置され、閉位置では、引出し３、４、５は前側延長部３の上方に延長された前面パネル３’の後ろにある。したがって、２つの内側延長部４および５を開けるには、常に前側延長部３を最初に開けねばならないので、引出し３、４、および５を操作するのが難しい。そのため、家具の後側壁８（１部のみ図示）には、３つの別個の突き出し装置９、９’、および９”が配置され、突き出し部品９ａ、９ａ’、および９ａ”は好ましくは、引出し３，４、および５が閉位置から加速され、質量慣性を克服し、開位置まで移動されるように、個々の引出し３、４、および５の後側壁で作用する。突き出し装置９、９’、および９”は好ましくはバネ装置（図示せず）を含む、あるいは、別の実施形態では、トルクが各突き出し部品９ａ、９ａ’、および９ａ”に印加されるように少なくとも１つの電気駆動部を含む。各引出し３，４、および５の後側壁は、壁に作用する突き出し部品９ａ、９ａ’、および９ａ”の力に対して特に適切で、その場合、突き出し部品９ａ、９ａ’、および９ａ”の自由端は、引出し３、４、および５の後側壁に対して閉限界位置を取る。原則的に、突き出し装置９、９’、および９”は、家具の別の位置、たとえば、引出し３、４、および５の両側に配置される延長レールでも作用することができる。
【００１７】
少なくとも１つの切換部品に結合可能な本発明の実施形態による別個の突き出し装置９、９’、および９”は、以降の図面でより詳細に説明される様々な可能な組み合わせをもたらす。引出し３、４、および５の可能な組み合わせをさらに拡大するために、前側延長部３の外向き移動時、内側延長部４、５が一緒に移動する、あるいは一緒に移動しないように、内側延長部４、５を前側延長部３に選択的または一時的に結合するための解除可能な結合装置が設けられる。解除可能な結合装置は、略フック状の引込み部品１０ｂおよび１１ｂと結合部品１０ａおよび１１ａを含む。フック状の引込み部品１０ｂおよび１１ｂは、前面壁４’および５’の領域に配置され、前面パネル３’の結合部品１０ａおよび１１ａに解除可能に結合させることができる。それに関して、望ましくは、引込み部品１０ｂおよび１１ｂおよび／または結合部品１０ａおよび１１ａが少なくとも２つの動作位置を有するように設けられる。第１の動作位置では、前側延長部３が内側延長部４、５とともに移動させられるとき、引込み部品１０ｂおよび１１ｂは結合部品１０ａおよび１１ａにそれぞれ係止し、第２の動作位置では、引込み部品１０ｂおよび１１ｂと結合部品１０ａおよび１１ａとの間では係止が生じない。この結合では、引込み部品１０ｂおよび１１ｂがそれぞれ、２つの動作位置を操作可能な調節オプション、たとえば、手動操作を有することが望ましい。これは、結合が１つの位置で操作され、１８０度回転される位置で停止されるように、１８０度まで回転可能に調節される引込み部品１０ｂおよび１１ｂまたは結合部品１０ａおよび１１ａのいずれかによって実行することができる。
【００１８】
図２は、図１の実施形態のわずかな変更を示す。前側延長部３の上方に延長された前面パネル３’に対する上内側延長部５または前面壁５’の結合オプションがないことを除けば、家具１の構造は図１の構造と同じである。図示される実施形態では、前側延長部３の前面パネル３’の後側には、２つの引出し３および５の閉位置で上内側延長部５の前面壁５’に当たるバネ緩衝器１２が設けられる。このようにして、バネ緩衝器１２は、引出し３が閉じられるときに前面パネル３’に不所望の衝撃が加わるのを防ぐ。バネ緩衝器１２は、好ましくはゴム弾性を有する吸振材料から成るスペーサ部によって置き換えることができる。
【００１９】
図３ａ〜３ｄは、前側延長部３および内側延長部４の概略側面図により、トリガおよび結合オプションの各種実施形態を示す。図３ａは、引出し３および４の閉位置で、内側延長部４の前面壁４’を完全に覆う上方に延長された前面パネル３’を有する前側延長部３を示す。家具１の後側壁８には、２つの別個の突き出し装置９および９’が設けられ、突き出し部品９ａおよび９ａ’は各引出し後側壁で作用する。図示される実施形態では、前側延長部３が前側延長部３の閉位置に対応する第１の限界位置を有し、突き出し装置９の突き出し部品９ａが前側延長部３に印加される圧力によって作用されるように、前側延長部３が骨組２の内側に配置される第２の限界位置へ閉じる方向で圧力を印加することによって移動可能である。図示される実施形態では、突き出し装置９および９’は結合されておらず、前面パネル３’と前面壁４’間の解除可能な結合オプションもない。引出し３、４の開放プロセスは、互いに独立した状態で行われる。すなわち、内側延長部４は、前側延長部３が突き出し装置９によって開位置に意図的に移動された後でのみ延長させることができる。次に、突き出し装置９’の別の操作後、内側延長部４を開位置に移動させることができる。
【００２０】
図３ｂは、図３ａとは異なる本発明の実施形態の側面図であって、内側延長部４または前面壁４’は解除可能な結合装置１１によって前側延長部３の前面パネル３’に結合される。解除可能な結合装置１１は、図１に示される引込み部品１１ｂと、結合部品１１ａとを備える。解除可能な結合装置（１１）は、好ましくは第１の引出し（３）の前面パネル（３’）の後側と少なくとも第２の引出し（４）の前面パネル（４’）の前側または前面壁の間で動作可能で、好ましくは２つの事前選択可能な動作モードを有する。第１の動作モードでは、２つの引出し３および４は一緒に結合され、別の動作モードでは、両者は結合されない。たとえば、前面パネル３’に手動の圧力または引張力を印加することによって、前側延長部３の突き出し装置９が操作される場合、解除可能な結合装置１１の能動的結合を含む状況において、内側延長部４は骨組２から外へ前側延長部３とともに移動する。解除可能な結合装置１１が非活動である場合、閉限界位置から開位置へ移動させるための内側延長部４の別の操作を（前面パネル４’に圧力または引張力を印加することによって）実行することができる。
【００２１】
図３ｃは、本発明のさらに別の実施形態を示す。図２に示されるバネ緩衝器１２またはスペーサ部は、前側延長部３の前面パネル３’と内側延長部４の前面壁４’間で動作可能である。圧力が前面パネル３’に印加されると、引出し３は前側延長部３の閉位置に対応する図示される限界位置から、圧力が突き出し部品９ａにも印加されるようにさらに骨組２を通って第２の限界位置へと移動する。圧力がバネ緩衝器１２またはスペーサ部によって突き出し装置９’の突き出し部品９ａ’にも印加されると、２つの突き出し装置９および９’の接合がトリガされる。その場合、引張力が前面パネル３’に印加されると、前側延長部３の突き出し装置９のみが操作されるように調整することができる。内側延長部４は、前面パネル４’に印加される圧力または引張パルスにより、前側延長部３とは無関係に操作することができる。
【００２２】
図３ｄは、本発明のさらに別の実施形態を示す。同図は、２つの突き出し装置９および９’間で動作可能な切換部品１３を示す。切換部品１３は、少なくとも２つの切換位置を有し、切換部品１３は第１の切換位置において２つの引出し３および４を結合し、第２の切換位置において分離する。前側延長部３の突き出し装置８が操作されると、内側延長部４も各切換位置に応じて、前側延長部３とともに移動する、あるいは移動しない。
【００２３】
切換部品１３は、少なくとも２つの突き出し装置９および９’を選択的に制御可能かつ動作可能とする制御装置および／または調整装置１４のプログラム論理の１部であってもよい。各種トリガパルスは、好ましくは、前側延長部３の前面パネル３’に引張および／または押圧力を手動で印加することによって実行可能である。それに関連して、たとえば、圧力が好ましくは前側延長部３の前面パネル３’に１度印加されるとき、内側延長部４の突き出し装置９’は操作されないように構成することができる。有益な改良では、好ましくは、予め決定される、または予め決定可能な期間内に前側延長部３の前面パネル３’に連続的に２度圧力を印加したときに、突き出し装置９’を操作させることができる。
【００２４】
本発明は例として図示される実施形態に限定されず、添付の請求項の範囲に入るすべての技術的等価物を含む、あるいはそこまで拡大される。たとえば、上、下、横などの説明で採用した位置に関する言及は、直接示される図面を指しており、位置が変更される場合、それに応じて新たな位置に適用されるべきである。本明細書の技術課題に関わる当業者であれば、別の可能なオプションを多数実行できるため、個々の突き出し装置に関して説明される操作オプションは単に例として解釈すべきである。
【図面の簡単な説明】
【００２５】
【図１】本発明に係る家具の実施形態の透視図であって、家具は前側延長部と、その背後に配置される２つの内側延長部とを有する。
【図２】下内側延長部と前側延長部間の解除可能な結合装置および上内側延長部と前側延長部間のバネ緩衝器を有する本発明のさらに別の実施形態を示す。
【図３ａ】内側延長部と前側延長部間のトリガおよび結合オプションの各種実施形態を示す。
【図３ｂ】内側延長部と前側延長部間のトリガおよび結合オプションの各種実施形態を示す。
【図３ｃ】内側延長部と前側延長部間のトリガおよび結合オプションの各種実施形態を示す。
【図３ｄ】内側延長部と前側延長部間のトリガおよび結合オプションの各種実施形態を示す。
【図１】
2009500134.tif 000003
【図２】
2009500134.tif 000004
【図３ａ】
2009500134.tif 000005
【図３ｂ】
2009500134.tif 000006
【図３ｃ】
2009500134.tif 000007
【図３ｄ】
2009500134.tif 000008
【国際調査報告】
2009500134.tif 000009
2009500134.tif 000010
2009500134.tif 000011
2009500134.tif 000012
2009500134.tif 000013
2009500134.tif 000014